(57)【特許請求の範囲】
【請求項１】
鍵盤部を収容した楽器本体と、前記鍵盤部を覆うための鍵盤蓋と、この鍵盤蓋の後部における両側に設けられた一対のアーム部材と、前記楽器本体に設けられて前記一対のアーム部材を上下方向に回転自在に支持する支持軸とを備え、この支持軸を中心に前記鍵盤蓋が回転して前記鍵盤部を開閉可能に覆う鍵盤楽器の鍵盤蓋構造において、
前記鍵盤蓋を開いた状態で前記楽器本体の後部に押し当てられることにより、前記鍵盤蓋を前記楽器本体から離れる方向に向けて湾曲変形させる変形矯正部材を備えていることを特徴とする鍵盤楽器の鍵盤蓋構造。
【請求項２】
前記変形矯正部材は、前記一対のアーム部材の間に位置する前記鍵盤蓋の後部における両側に設けられていることを特徴とする請求項１に記載の鍵盤楽器の鍵盤蓋構造。
【請求項３】
前記変形矯正部材は、前記一対のアーム部材の間に位置する前記鍵盤蓋の後部における中間部に設けられていることを特徴とする請求項１に記載の鍵盤楽器の鍵盤蓋構造。
【発明の詳細な説明】
【技術分野】
【０００１】
この発明は、電子ピアノや電子オルガンなどの鍵盤楽器の鍵盤蓋構造に関する。
【背景技術】
【０００２】
従来、電子ピアノなどの鍵盤楽器においては、特許文献１に記載されているように、楽器本体内に設けられた鍵盤部を覆うための鍵盤蓋の後部における両側に、一対のアーム部材を鍵盤蓋の後方に延出させて設け、この一対のアーム部材を楽器本体内の両側に設けられた一対の取付軸に回転可能に取り付けることにより、この一対の取付軸を中心に鍵盤蓋を上下方向に回転させて鍵盤部を開閉するように構成したものが知られている。
【先行技術文献】
【特許文献】
【０００３】
【特許文献１】特開平０５−３１３６５３号公報
【発明の概要】
【発明が解決しようとする課題】
【０００４】
しかしながら、このような従来の鍵盤楽器における鍵盤蓋構造では、楽器本体内の両側に設けられた一対の取付軸にそれぞれ回転可能に取り付けられた一対のアーム部材によって、鍵盤蓋を支持している構成であるから、鍵盤蓋を閉じた際に、一対のアーム部材の間に位置する鍵盤蓋の中央部が鍵盤蓋の自重で凹部形状に撓んで変形し、この変形した鍵盤蓋が元の形状に戻らないことがあるという問題がある。
【０００５】
この発明が解決しようとする課題は、鍵盤蓋が撓んで変形しても、その変形した鍵盤蓋を元の形状に矯正することができる鍵盤楽器の鍵盤蓋構造を提供することである。
【課題を解決するための手段】
【０００６】
この発明は、上記課題を解決するために、次のような構成要素を備えている。
請求項１に記載の発明は、鍵盤部を収容した楽器本体と、前記鍵盤部を覆うための鍵盤蓋と、この鍵盤蓋の後部における両側に設けられた一対のアーム部材と、前記楽器本体に設けられて前記一対のアーム部材を上下方向に回転自在に支持する支持軸とを備え、この支持軸を中心に前記鍵盤蓋が回転して前記鍵盤部を開閉可能に覆う鍵盤楽器の鍵盤蓋構造において、前記鍵盤蓋を開いた状態で前記楽器本体の後部に押し当てられることにより、前記鍵盤蓋を前記楽器本体から離れる方向に向けて湾曲変形させる変形矯正部材を備えていることを特徴とする鍵盤楽器の鍵盤蓋構造である。
【０００７】
請求項２に記載の発明は、前記変形矯正部材が、前記一対のアーム部材の間に位置する前記鍵盤蓋の後部における両側に設けられていることを特徴とする請求項１に記載の鍵盤楽器の鍵盤蓋構造である。
【０００８】
請求項３に記載の発明は、前記変形矯正部材が、前記一対のアーム部材の間に位置する前記鍵盤蓋の後部における中央部に設けられていることを特徴とする請求項１に記載の鍵盤楽器の鍵盤蓋構造である。
【発明の効果】
【０００９】
この発明によれば、鍵盤蓋が鍵盤部を覆って閉じた際に、鍵盤蓋が自重で撓んで変形しても、鍵盤蓋を開いて変形矯正部材を楽器本体の後部に押し当てることにより、この変形矯正部材によって鍵盤蓋を楽器本体から離れる方向に向けて湾曲変形させることができる。このため、鍵盤蓋が撓んで変形しても、その変形した鍵盤蓋を元の形状に矯正することができる。
【図面の簡単な説明】
【００１０】
【図１】この発明を適用した鍵盤楽器の実施形態１において鍵盤蓋を開いた状態を示した斜視図である。
【図２】図１のＡ−Ａ矢視において鍵盤蓋を閉じた状態を示した拡大断面図である。
【図３】図２において鍵盤蓋を開いた状態を示した拡大断面図である。
【図４】図３の鍵盤楽器において変形矯正部材の箇所を示した要部の拡大断面図である。
【図５】図４の変形矯正部材を示した拡大斜視図である。
【図６】図１の鍵盤蓋の変形状態を示し、（ａ）は鍵盤蓋を閉じた状態において撓み変形した状態を概略的に示した正面図、（ｂ）はその変形した鍵盤蓋を開いて矯正する状態を概略的に示した平面図である。
【図７】この発明を適用した鍵盤楽器の実施形態２において鍵盤蓋を開いた状態を示した斜視図である。
【図８】図７のＢ−Ｂ矢視において鍵盤蓋を閉じた状態を示した拡大断面図である。
【図９】図８において鍵盤蓋を開いた状態を示した拡大断面図である。
【図１０】図９の鍵盤楽器において変形矯正部材の箇所を示した要部の拡大断面図である。
【図１１】図７の鍵盤蓋の変形状態を示し、（ａ）は鍵盤蓋を閉じた状態において撓み変形した状態を概略的に示した正面図、（ｂ）はその変形した鍵盤蓋を開いて矯正する状態を概略的に示した平面図である。
【図１２】この発明を適用した鍵盤楽器において鍵盤蓋の蓋開閉装置の変形例を示した一部破断した側面図である。
【発明を実施するための形態】
【００１１】
（実施形態１）
以下、図１〜図６を参照して、この発明を適用した鍵盤楽器の実施形態１について説明する。
この鍵盤楽器は、図１〜図３に示すように、楽器本体１を備えている。
【００１２】
この楽器本体１は、底板部２と、この底板部２の前端部（図２では左端部）に起立して設けられた前板部３と、底板部２の後端部（図２では右端部）に起立して設けられた後板部４と、底板部２の両側（図１では左右の両側）に起立して設けられた一対の側板部５と、この一対の側板部５上および後板部４上に配置された上板部６とを備えている。
【００１３】
この場合、上板部６は、図１に示すように、その前側（図１では手前側）のほぼ半分程度が切り欠かれて開放されている。この楽器本体１の上板部６には、スイッチ部７ａおよびスピーカ部７ｂが設けられている。これにより、楽器本体１は、前部側（図１では手前側）が上方に開放された箱形状に形成されている。
【００１４】
この楽器本体１の内部には、図１〜図３に示すように、鍵盤部８が設けられている。この鍵盤部８は、白鍵８ａおよび黒鍵８ｂを備え、これら白鍵８ａおよび黒鍵８ｂが鍵盤シャーシ（図示せず）上に上下方向に回転可能に取り付けられた状態で多数配列された構成になっている。また、この楽器本体１には、図１〜図３に示すように、鍵盤部８を開閉自在に覆う鍵盤蓋１０が蓋開閉装置１１によって開閉可能に取り付けられている。
【００１５】
この鍵盤蓋１０は、蓋開閉装置１１によって上下方向に回転することにより、図２に示すように、楽器本体１の上部に配置されて楽器本体１を閉じた際に鍵盤部８を覆い隠し、また図３に示すように、楽器本体１の後方（図２では右側）に少し傾いた状態で起立して楽器本体１を開いた際に鍵盤部８を上方に露出させるように構成されている。
【００１６】
この鍵盤蓋１０の蓋開閉装置１１は、図１〜図３に示すように、楽器本体１内の後端部に位置する一対の側板部５間に架け渡された支持軸１２と、鍵盤蓋１０の下面における両側に取り付けられて支持軸１２にそれぞれ回転自在に取り付けられたアーム部材１３と、このアーム部材１３にそれぞれ取り付けられて支持軸１２を中心に鍵盤蓋１０と共に回転する連動歯車１４と、楽器本体１の側板部５の内面にそれぞれ設けられて鍵盤蓋１０の開閉動作を制動するダンパ装置１５とを備えている。
【００１７】
これにより、鍵盤蓋１０は、図２および図３に示すように、支持軸１２を中心にアーム部材１３および連動歯車１４と共に上下方向に回転するように構成されている。この場合、連動歯車１４は、図２および図３に示すように、支持軸１２を中心に鍵盤蓋１０がアーム部材１３と共に回転する際に、鍵盤蓋１０の開閉動作をダンパ装置１５に伝達するように構成されている。
【００１８】
すなわち、この連動歯車１４は、図２および図３に示すように、全体がほぼ扇形状に形成されており、その外周面には、歯部１４ａが設けられている。また、この連動歯車１４は、その要となる部分が支持軸１２に回転可能に取り付けられている。これにより、連動歯車１４は、鍵盤蓋１０と共に回転するアーム部材１３の回転に伴って支持軸１２を中心に回転するように構成されている。
【００１９】
ダンパ装置１５は、図２および図３に示すように、一対の側板部５の内面に取り付けられた装置本体１６を備えている。この装置本体１６の内部には、図示しないが、鍵盤蓋１０と共に回転する回転体と、この回転体の回転を制動する制動ばねとが設けられている。この場合、回転体には、連動歯車１４の歯部１４ａに噛み合って回転する歯車部１７が装置本体１６の外部に露出して設けられている。
【００２０】
また、制動ばねは、コイルばねであり、一端部が回転体に取り付けられ、他端部が装置本体に取り付けられている。これにより、制動ばねは、自由状態のときにニュートラル状態となり、このニュートラル状態を境にして回転体が一方向に回転すると、収縮変形して回転体に負荷を付与し、またニュートラル状態を境にして回転体が逆方向に回転すると、膨張変形して回転体に負荷を付与するように構成されている。
【００２１】
これにより、ダンパ装置１５は、鍵盤蓋１０が閉じた状態から完全に開くまでの中間位置で、制動ばねがニュートラル状態となり、この中間位置から鍵盤蓋１０が閉じる際に制動ばねが収縮変形して鍵盤蓋１０に負荷を付与し、また中間位置から鍵盤蓋１０が開く際に制動ばねが膨張変形して鍵盤蓋１０に負荷を付与するように構成されている。
【００２２】
ところで、この鍵盤蓋１０には、図１〜図６に示すように、鍵盤蓋１０を開いて楽器本体１の後板部４の後面（図３では右側面）に押し当てられることにより、鍵盤蓋１０をその中間部が後板部４から後方（図３では右側）に離れる方向に湾曲変形させるための一対の変形矯正部材１８がビス１８ａによって取り付けられている。この一対の変形矯正部材１８は、シリコーンゴムなどの合成ゴムや天然ゴムで形成されていても良く、またアルミニウムなどの金属や硬質の合成樹脂で形成されていても良い。
【００２３】
この場合、一対の変形矯正部材１８は、図１に示すように、鍵盤蓋１０の内面（図２では下面）における両側の一対のアーム部材１３の間に位置し、且つ一対のアーム部材１３から互いに接近する方向に向けて少し離れた位置に設けられている。この一対の変形規制部材１８は、図４および図５に示すように、鍵盤蓋１０の内面にビス１８ａによって取り付けられる取付部１９と、この取付部１９の中央部に設けられた突起部２０とを備えている。
【００２４】
この突起部２０は、その先端部２０ａが円弧状に形成され、この円弧状の先端部２０ａが楽器本体１の後板部４の後面（図３では右側面）に押し当てられるように構成されている。これにより、この突起部２０は、鍵盤蓋１０が撓んで弾性限界を超えて変形した際に、図６（ａ）に示すように、その弾性変形を超えた変形（塑性変形）を矯正するために、楽器本体１の後板部４の後面に強く押し当てられると、図６（ｂ）に示すように、鍵盤蓋１０を逆方向に強制的に変形させるように構成されている。
【００２５】
このため、変形矯正部材１８は、図３に示すように、鍵盤蓋１０が楽器本体１の後方に少し傾いて起立した状態で、突起部２０の先端部２０ａが楽器本体１の後板部４の後面（図３では右側面）に押し当てられた際に、鍵盤蓋１０の後端部（図３では下端部）と後板部４の後面との間にその両者の接触を防ぐための隙間Ｓを有する程度の突出高さＨ１に形成されている。
【００２６】
この場合、変形矯正部材１８がシリコーンゴムなどの合成ゴムや天然ゴムで形成されている場合には、突起部２０の先端部２０ａが楽器本体１の後板部４の後面（図３では右側面）に押し当てられると、弾性変形するため、その弾性変形量を考慮して、変形矯正部材１８の突出高さＨ１が設定されている。また、変形矯正部材１８がアルミニウムなどの金属や硬質の合成樹脂で形成されている場合には、突起部２０の先端部２０ａが楽器本体１の後板部４の後面に押し当てられても、ほとんど変形しないため、これを考慮して、変形矯正部材１８の突出高さＨ１が設定されている。
【００２７】
これにより、一対の変形矯正部材１８は、図３に示すように、鍵盤蓋１０の中央部が楽器本体１に接近する方向に凹部形状に湾曲変形した際に、鍵盤蓋１０が起立して突起部２０が楽器本体１の後板部４の後面（図３では右側面）に強く押し当てられることにより、図６（ｂ）に示すように、鍵盤蓋１０の中央部が楽器本体１から離れる方向に凸部形状に湾曲して膨らむように鍵盤蓋１０を強制的に変形させるように構成されている。この場合、楽器本体１の後板部４の内面（図３では左側面）には、図２および図３に示すように、後板部４を補強するための補強部材２１が設けられていることが望ましい。
【００２８】
次に、このような鍵盤楽器を使用する場合について説明する。
この場合には、まず、鍵盤蓋１０を上方に回転させて鍵盤部８を開放させて露出させる。このときには、鍵盤蓋１０の前端部（図２では左端部）を持ち上げて蓋開閉装置１１の支持軸１２を中心に鍵盤蓋１０を上方に回転させる。すると、蓋開閉装置１１のアーム部材１３が支持軸１２を中心に連動歯車１４と共に回転し、この連動歯車１４の回転に伴ってダンパ装置１５の歯車部１７が回転する。
【００２９】
このときには、ダンパ装置１５の制動ばねが収縮している状態から膨張するように変形するため、鍵盤蓋１０を軽い力で開く始めることができる。そして、鍵盤蓋１０が中間位置に開くと、ダンパ装置１５の制動ばねがニュートラル状態になる。この後、鍵盤蓋１０を更に開く際には、ダンパ装置１５の制動ばねが徐々に膨張するように変形し、鍵盤蓋１０に負荷を付与するので、鍵盤蓋１０の回転動作が徐々に重くなる。
【００３０】
そして、鍵盤蓋１０が回転して完全に開くと、図１および図３に示すように、鍵盤蓋１０の両側に設けられた一対のアーム部材１３が楽器本体１内の支持軸１２に支持された状態で、図３に示すように、鍵盤蓋１０に設けられた一対の変形矯正部材１８が楽器本体１の後板部４の後面（図３では右側面）に当接することにより、鍵盤蓋１０が楽器本体１の後方に少し傾いた状態で起立する。これにより、図１および図３に示すように、鍵盤部８が開放されるので、鍵盤部８を押鍵操作して演奏することができる。
【００３１】
また、鍵盤蓋１０を閉じる際には、図３において鍵盤蓋１０の上部を手前側（図３では左側）に引き寄せる。すると、蓋開閉装置１１の支持軸１２を中心に鍵盤蓋１０が下方に回転する。このときには、蓋開閉装置１１のアーム部材１３が支持軸１２を中心に連動歯車１４と共に回転し、この連動歯車１４の回転に伴ってダンパ装置１５の歯車部１７が回転する。
【００３２】
すると、ダンパ装置１５の制動ばねが膨張している状態から収縮するように変形するため、鍵盤蓋１０を軽い力で閉じ始めることができる。そして、鍵盤蓋１０が中間位置に閉じると、ダンパ装置１５の制動ばねがニュートラル状態になる。この後、鍵盤蓋１０を更に閉じる際には、ダンパ装置１５の制動ばねが徐々に収縮するように変形し、鍵盤蓋１０に負荷を付与するので、鍵盤蓋１０の回転動作が徐々に重くなる。
【００３３】
そして、鍵盤蓋１０が回転して完全に閉じると、図２に示すように、鍵盤蓋１０の両側に設けられた一対のアーム部材１３が楽器本体１内の支持軸１２に支持された状態で、図２に示すように、鍵盤蓋１０が楽器本体１の上部に配置されて鍵盤部８を覆う。この状態では、鍵盤蓋１０がその自重で一対のアーム部材１３の間で窪むように撓み変形する。このときに、鍵盤蓋１０の上に荷物などの物を長時間に亘って載せると、図６（ａ）に示すように、鍵盤蓋１０が更に撓んで弾性限界を超えて、鍵盤蓋１０が塑性変形してしまうことがある。
【００３４】
このときには、図１および図３に示すように、鍵盤蓋１０を上方に回転させて鍵盤部８を開放させて露出させる。そして、鍵盤蓋１０の両側に設けられた一対のアーム部材１３によって鍵盤蓋１０を楽器本体１内の支持軸１２に支持した状態で、図３に示すように、鍵盤蓋１０に設けられた一対の変形矯正部材１８を楽器本体１の後板部４の後面（図３では右側面）に当接させて、鍵盤蓋１０を楽器本体１の後方に少し傾いた状態で起立させる。
【００３５】
この状態で、鍵盤蓋１０を後方向に向けて強く押すことにより、鍵盤蓋１０の両側に設けられた一対の変形矯正部材１８の各突起部２０を楽器本体１の後板部４の後面（図３では右側面）に強く押し当てる。すると、図６（ｂ）に示すように、一対の変形矯正部材１８が、鍵盤蓋１０の中央部を楽器本体１から離れる方向に凸部形状に膨らむように強制的に湾曲変形させる。これにより、鍵盤蓋１０の中央部が図６（ａ）に示すように楽器本体１に接近する方向に凹部形状に湾曲して窪んで変形していても、その変形した鍵盤蓋１０を元の形状に矯正することができる。
【００３６】
このように、この鍵盤楽器の鍵盤蓋構造によれば、鍵盤蓋１０を開いた状態で楽器本体１の後面に押し当てられることにより、鍵盤蓋１０を楽器本体１から離れる方向に向けて湾曲変形させる変形矯正部材１８を備えた構成であるから、鍵盤蓋１０が鍵盤部８を覆って閉じた際に、鍵盤蓋１０が自重で撓んで変形しても、鍵盤蓋１０を開いて変形矯正部材１８を楽器本体１の後面に押し当てることにより、この変形矯正部材１８によって鍵盤蓋１８を楽器本体１から離れる方向に向けて湾曲変形させることができる。
【００３７】
このため、鍵盤蓋１０が撓んで変形しても、その変形した鍵盤蓋１０を元の形状に矯正することができる。従って、鍵盤蓋１０が自重で撓み変形するのを防ぐために、鍵盤蓋１０の厚みを厚く形成する必要がなく、鍵盤蓋１０の厚みを薄く形成することができ、これにより軽量化を図ることができる。また、鍵盤蓋１０が自重で撓み変形するのを防ぐために、鍵盤蓋１０にアルミニウムなどの金属製の補強部材を鍵盤蓋１０の長手方向に沿って設ける必要もないので、低コスト化をも図ることができる。
【００３８】
この場合、変形矯正部材１８は、楽器本体１の支持軸１２に回転可能に取り付けられて鍵盤蓋１０を支持する一対のアーム部材１３の間に位置する鍵盤蓋１０の後面における両側に設けられているので、鍵盤蓋１０を開いた状態で一対の変形矯正部材１８を楽器本体１の後部に押し当てた際に、鍵盤蓋１０の両端部が一対のアーム部材１３によって強固に保持されていることにより、一対のアーム部材１３の間に位置する鍵盤蓋１０の中間部を一対の変形矯正部材１８によって楽器本体１から離れる方向に向けて確実に湾曲変形させることができる。
【００３９】
また、変形矯正部材１８がシリコーンゴムなどの合成ゴムや天然ゴムで形成されていれば、鍵盤蓋１０を開いた状態で変形矯正部材１８を楽器本体１の後面に押し当てた際に、楽器本体１の後面を傷付けることなく、鍵盤蓋１８を楽器本体１から離れる方向に向けて湾曲変形させることができる。また、変形矯正部材１８がアルミニウムなどの金属や硬質の合成樹脂で形成されていれば、鍵盤蓋１０を開いた状態で変形矯正部材１８を楽器本体１の後部に押し当てた際に、変形矯正部材１８によって鍵盤蓋１０を楽器本体１から離れる方向に向けて確実に湾曲変形させることができる。
【００４０】
さらに、楽器本体１の後部の内面には、補強部材２１が鍵盤蓋１０の変形矯正部材１８に対応して設けられているので、鍵盤蓋１０を開いた状態で一対の変形矯正部材１８が楽器本体１の後面に強く押し当てられても、楽器本体１の後部が変形矯正部材１８によって変形したり破損したりするのを防ぐことができる。
【００４１】
（実施形態２）
次に、図７〜図１１を参照して、この発明を適用した鍵盤楽器の実施形態２について説明する。なお、図１〜図６に示された実施形態１と同一部分には同一符号を付して説明する。
この鍵盤楽器は、図７に示すように、鍵盤蓋１０の後部における中間部に１つの変形矯正部材２５を設けた構成であり、これ以外は実施形態１とほぼ同じ構成になっている。
【００４２】
すなわち、変形矯正部材２５は、図７〜図９に示すように、楽器本体１の支持軸１２に回転可能に取り付けられて鍵盤蓋１０を支持する一対のアーム部材１３の間に位置する鍵盤蓋１０の後部における中間部に設けられている。この変形矯正部材２５は、鍵盤蓋１０を開いた状態で楽器本体１の後板部４の後面（図９では右側面）に押し当てられることにより、図１０（ｂ）に示すように、鍵盤蓋１０を楽器本体１から離れる方向に向けて湾曲変形させるように構成されている。
【００４３】
この場合にも、変形矯正部材２５も、実施形態１と同様、シリコーンゴムなどの合成ゴムや天然ゴムで形成されていても良く、またアルミニウムなどの金属や硬質の合成樹脂で形成されていても良い。また、この変形矯正部材２５は、実施形態１と同様、鍵盤蓋１０の内面にビス２５ａによって取り付けられる取付部２６と、この取付部２６の中央部に設けられた突起部２７とを備えている。
【００４４】
この突起部２７も、その先端部２７ａが円弧状に形成され、この円弧状の先端部２７ａが楽器本体１の後板部４の後面（図９では右側面）に押し当てられるように構成されている。この突起部２７は、実施形態１と同様、鍵盤蓋１０が撓んで弾性限界を超えて変形した際に、その弾性変形を超えた変形（塑性変形）を矯正するために、楽器本体１の後板部４の後面に強く押し当てられることにより、鍵盤蓋１０を逆方向に強制的に変形させるように構成されている。
【００４５】
このため、変形矯正部材２５は、図９および図１０に示すように、鍵盤蓋１０が楽器本体１の後方に少し傾いて起立し、突起部２７の先端部２７ａが楽器本体１の後板部４の後面（図９では右側面）に当接した際に、鍵盤蓋１０の後端部（図９では下端部）と後板部４の後面との間にその両者の接触を防ぐための十分に広い隙間Ｓ２を有するように、突起部２７の突出高さＨ２が実施形態１の突起部２０よりも高く形成されている。
【００４６】
すなわち、この変形矯正部材２５は、図９および図１０に示すように、鍵盤蓋１０を開いて突起部２７の先端部２７ａを楽器本体１の後板部４の後面（図９では右側面）に当接させ、この状態で鍵盤蓋１０を後方に押して突起部２７を楽器本体１の後板部４の後面に強く押し当てると、図１１（ｂ）に示すように、鍵盤蓋１０が楽器本体１から離れる方向に向けて湾曲変形することを考慮して、突起部２７の突出高さＨ２が実施形態１の突起部２０よりも十分に高く（Ｈ２＞Ｈ１）形成されている。
【００４７】
また、この変形矯正部材２５は、シリコーンゴムなどの合成ゴムや天然ゴムで形成されている場合、突起部２７の先端部２７ａが楽器本体１の後板部４の後面（図９では右側面）に押し当てられると、弾性変形するので、その弾性変形量をも考慮して、突起部２７の突出高さＨ２が更に高く設定されている。また、変形矯正部材２５がアルミニウムなどの金属や硬質の合成樹脂で形成されている場合には、突起部２７の先端部２７ａが楽器本体１の後板部４の後面に押し当てられても、変形しないため、これを考慮して、突起部２７の突出高さＨ２が設定されている。
【００４８】
これにより、変形矯正部材２５は、図１１（ａ）に示すように、鍵盤蓋１０の中央部が楽器本体１に接近する方向に凹部形状に湾曲して窪んで変形した際に、鍵盤蓋１０を起立させて突起部２７を楽器本体１の後板部４の後面（図９では右側面）に強く押し当てることにより、図１１（ｂ）に示すように、鍵盤蓋１０の中央部が楽器本体１から離れる方向に凸部形状に湾曲して膨らむように鍵盤蓋１０を強制的に変形させるように構成されている。
【００４９】
このような鍵盤楽器の鍵盤蓋構造においても、鍵盤蓋１０を開いた状態で楽器本体１の後面に押し当てられることにより、鍵盤蓋１０を楽器本体１から離れる方向に向けて湾曲変形させる変形矯正部材２５を備えた構成であるから、実施形態１と同様、鍵盤蓋１０が鍵盤部８を覆って閉じた際に、鍵盤蓋１０が自重で撓んで変形しても、鍵盤蓋１０を開いて変形矯正部材２５が楽器本体１の後面に押し当てられると、変形矯正部材２５によって鍵盤蓋１８を楽器本体１から離れる方向に向けて湾曲変形させることができる。
【００５０】
このため、実施形態１と同様、鍵盤蓋１０が撓んで変形しても、その変形した鍵盤蓋１０を元の形状に矯正することができる。従って、この場合にも、鍵盤蓋１０が自重で撓み変形するのを防ぐために、鍵盤蓋１０の厚みを厚く形成する必要がなく、鍵盤蓋１０の厚みを薄く形成することができ、これにより軽量化を図ることができる。また、鍵盤蓋１０が自重で撓み変形するのを防ぐために、鍵盤蓋１０にアルミニウムなどの金属製の補強部材を鍵盤蓋１０の長手方向に沿って設ける必要もないので、低コスト化をも図ることができる。
【００５１】
この場合、変形矯正部材２５は、一対のアーム部材１３の間に位置する鍵盤蓋１０の後部における中間部に設けられているので、鍵盤蓋１０が一対のアーム部材１３の間で窪むように撓んで変形しても、その最も窪んで変形した部分を変形矯正部材２５が直接押圧して鍵盤蓋１８を楽器本体１から離れる方向に向けて膨らむように湾曲変形させるので、実施形態１よりも、凹部形状に窪んで変形した鍵盤蓋１０を確実に且つ良好に元の形状に矯正することができる。
【００５２】
また、この変形矯正部材２５がシリコーンゴムなどの合成ゴムや天然ゴムで形成されていれば、変形矯正部材２５が楽器本体１の後板部４の後面に押し当てられても、楽器本体１の後面を傷付けることなく、鍵盤蓋１８を楽器本体１から離れる方向に向けて湾曲変形させることができる。また、変形矯正部材２５がアルミニウムなどの金属や硬質の合成樹脂で形成されていれば、鍵盤蓋１０を開いた状態で変形矯正部材２５を楽器本体１の後面に押し当てた際に、変形矯正部材２５によって鍵盤蓋１０を楽器本体１から離れる方向に向けて確実に湾曲変形させることができる。
【００５３】
なお、上述した実施形態２では、鍵盤蓋１０の後部における中間部に変形矯正部材２５を設けた場合について述べたが、必ずしも鍵盤蓋１０の後部における中間部のみに変形矯正部材２５を設ける必要はなく、例えば、実施形態１と実施形態２とを組み合わせた構成でも良い。すなわち、一対のアーム部材１３間に位置する鍵盤蓋１０の後部における両側とその中間部との３箇所に変形矯正部材を設けた構成でも良い。この場合には、鍵盤蓋１０の中間部に位置する変形矯正部材の突出高さＨ２を、鍵盤蓋１０の両側に位置する変形矯正部材の突出高さＨ１よりも、鍵盤蓋１０の変形量を考慮して、十分に高く形成すれば良い。
【００５４】
また、上述した実施形態１、２では、鍵盤蓋１０の後部に変形矯正部材１８、２５を設けた場合について述べたが、必ずしも鍵盤蓋１０に変形矯正部材１８、２５を設ける必要はなく、例えば楽器本体１の後板部４の後面に変形矯正部材を設けた構成でも良い。また、これに限らず、一対のアーム部材１３に変形矯正部材を設けた構成でも良い。この場合の変形矯正部材は、一対のアーム部材１３の互いに対向する面にそれぞれ設けられ、鍵盤蓋１０が開いて楽器本体１の後方に少し傾いて起立した際に、楽器本体１の後面に押し当てられ、これにより鍵盤蓋１０を楽器本体１から離れる方向に向けて湾曲変形させるように構成されていれば良い。
【００５５】
さらに、上述した実施形態１、２およびその各変形例では、変形矯正部材１８、２５を鍵盤蓋１０、楽器本体１の後板部４、および一対のアーム部材１３のいずれかにそれぞれ別部材として取り付けるように構成した場合について述べたが、これに限らず、変形矯正部材を鍵盤蓋１０、楽器本体１の後板部４、および一対のアーム部材１３のいずれかにそれぞれ一体に形成した構成でも良い。このように構成すれば、部品点数を削減することができると共に、組み立て作業性の向上を図ることができる。
【００５６】
また、上述した実施形態１、２では、楽器本体１に鍵盤蓋１０を開閉可能に取り付けるための蓋開閉装置１１が、楽器本体１内に設けられた支持軸１２と、この支持軸１２にそれぞれ回転自在に取り付けられて鍵盤蓋１０の下面における両側に取り付けられたアーム部材１３と、このアーム部材１３にそれぞれ取り付けられて支持軸１２を中心に鍵盤蓋１０と共に回転する連動歯車１４と、楽器本体１の側板部５の内面にそれぞれ設けられて鍵盤蓋１０の開閉動作を制動するダンパ装置１５とを備えた構成である場合について述べたが、必ずしもダンパ装置１５および連動歯車１４を備えた構成である必要はなく、例えば、図１２に示す変形例のように構成しても良い。
【００５７】
すなわち、この変形例の蓋開閉装置３０は、楽器本体１の一対の側板５の内面にそれぞれ設けられた一対の補強板３１と、この一対の補強板３１にそれぞれ設けられた一対の支持軸３２と、この一対の支持軸３２にそれぞれ上下方向に回転自在に取り付けられて鍵盤蓋１０の下面における両側に取り付けられた一対のアーム部材３３とを備えた構成になっている。このような蓋開閉装置３０では、一対のアーム部材３３が楽器本体１内の一対の補強板３１にそれぞれ設けられた一対の支持軸３２を中心に上下方向に回転するので、簡単な機構で、鍵盤蓋１０を上下方向に回転させて楽器本体１を開閉することができる。
【符号の説明】
【００５８】
１  楽器本体
４  後板部
８  鍵盤部
１０  鍵盤蓋
１１、３０  蓋開閉装置
１２、３２  支持軸
１３、３３  アーム部材
１８、２５  変形矯正部材
２０、２７  突起部
２１  補強部材
【図１】
0005445835.tif 000002
【図２】
0005445835.tif 000003
【図３】
0005445835.tif 000004
【図４】
0005445835.tif 000005
【図５】
0005445835.tif 000006
【図６】
0005445835.tif 000007
【図７】
0005445835.tif 000008
【図８】
0005445835.tif 000009
【図９】
0005445835.tif 000010
【図１０】
0005445835.tif 000011
【図１１】
0005445835.tif 000012
【図１２】
0005445835.tif 000013